(57)【要約】  １次セル・サーチ動作を制御する方法及び装置であり、各相関ピークのプロファイルを生成し、各相関ピークの大きさが変化しているか否かを特定し、各相関ピークの大きさが比較的一定である場合、各相関ピークのうち最大の大きさを有する１つの相関ピークに信号取得行程を同期化し、各相関ピークの大きさが変化している場合、大きさが増大してきている相関ピークに信号取得行程を同期化する方法及び装置を提供する。この方法及び装置は、更に、各相関ピークのうちの最大の相関ピークのインデックスと大きさとを識別し、プロファイルにその他の相関ピークが存在するか否かを特定し、その他の相関ピークが存在しない場合、最初に識別された最大の相関ピークに信号取得行程を同期化し、識別されたその他の相関ピーク全てについてインデックスと大きさとを記憶し、識別されたピーク全てについて相関ピークの大きさの変化を比較する。
2008535373.tif 000002
【特許請求の範囲】
【請求項１】
１次セル・サーチ動作を制御する方法であって、
各相関ピークのプロファイルを生成することと、
前記各相関ピークの大きさが変化しているか否かを特定することと、
前記各相関ピークの大きさが比較的一定である場合、前記各相関ピークのうち最大の大きさを有する１つの相関ピークに信号取得行程を同期化することと、
前記各相関ピークの大きさが変化している場合、大きさが増大してきている相関ピークに前記信号取得行程を同期化することと、
を含む、前記方法。
【請求項２】
前記各相関ピークのうちの最大の相関ピークのインデックスと大きさとを識別することと、
前記プロファイルにその他の相関ピークが存在するか否かを特定することと、
その他の相関ピークが存在しない場合、最初に識別された前記最大の相関ピークに前記信号取得行程を同期化することと、
識別されたその他の相関ピーク全てについてインデックスと大きさとを記憶することと、
識別されたピーク全てについて、相関ピークの大きさの変化を比較することと、
を更に含む、請求項１記載の方法。
【請求項３】
その他の相関ピークが存在するか否かの特定を所定の回数だけ繰り返すことを更に含む、請求項２記載の方法。
【請求項４】
前記最大の相関ピークから所定数を越える数のサンプル分離れた前記各相関ピークのインデックスと大きさとを記憶することを更に含む、請求項２記載の方法。
【請求項５】
前記最大の相関ピークに対する所定の割合以上の前記各相関ピークのインデックスと大きさとを記憶することを更に含む、請求項２記載の方法。
【請求項６】
１次セル・サーチ動作を制御する装置であって、
各相関ピークのプロファイルを生成する手段と、
前記各相関ピークの大きさが変化しているか否かを特定する手段と、
前記各相関ピークの大きさが比較的一定である場合、前記各相関ピークのうち最大の大きさを有する１つの相関ピークに信号取得行程を同期化する手段と、
前記各相関ピークの大きさが変化している場合、大きさが増大してきている相関ピークに前記信号取得行程を同期化する手段と、
を含む、前記装置。
【請求項７】
前記各相関ピークのうちの最大の相関ピークのインデックスと大きさとを識別する手段と、
前記プロファイルにその他の相関ピークが存在するか否かを特定する手段と、
その他の相関ピークが存在しない場合、最初に識別された前記最大の相関ピークに前記信号取得行程を同期化する手段と、
識別されたその他の相関ピーク全てについて、インデックスと大きさとを記憶する手段と、
識別されたピーク全てについて、相関ピークの大きさの変化を比較する手段と、
を更に含む、請求項６記載の装置。
【請求項８】
その他の相関ピークが存在するか否かの特定を所定の回数だけ繰り返す手段を更に含む、請求項７記載の装置。
【請求項９】
前記最大の相関ピークから所定数を越える数のサンプル分離れた前記各相関ピークのインデックスと大きさとを記憶する手段を更に含む、請求項７記載の装置。
【請求項１０】
前記最大の相関ピークに対する所定の割合以上の前記各相関ピークのインデックスと大きさとを記憶する手段を更に含む、請求項７記載の装置。
【請求項１１】
該装置が受信機である、請求項６記載の装置。
【請求項１２】
前記受信機が移動端末である、請求項１１記載の装置。
【発明の詳細な説明】
【技術分野】
【０００１】
本発明は、キャリア・ベースのシステムに於けるハンドオーバ条件に関し、詳しくは、１次セル・サーチ行程に関する。
【背景技術】
【０００２】
ＵＭＴＳ無線信号に於ける基本時間単位は１０ミリ秒（ｍｓ）の無線フレームであり、そのフレームの各々は１５スロットに分割され、更に、そのスロットの各々は２５６０チップで構成されている。セル（即ち、基地局）からＵＭＴＳ受信機へのＵＭＴＳ無線信号は「ダウンリンク信号」と呼ばれ、逆方向のＵＭＴＳ無線信号は「アップリンク信号」と呼ばれている。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動電話システム）のＷＣＤＭＡ（Ｗｉｄｅｂａｎｄ  Ｃｏｄｅ−Ｄｉｖｉｓｉｏｎ  Ｍｕｌｔｉｐｌｅ  Ａｃｃｅｓｓ：広帯域符号分割多元接続）規格の物理層は、チップ・レートが３．８４ＭｃｐｓのＤＳＳＳ（Ｄｉｒｅｃｔ  Ｓｅｑｕｅｎｃｅ  Ｓｐｒｅａｄ  Ｓｐｅｃｔｒｕｍ）変調を使用している。ＦＤＤ（Ｆｒｅｑｕｅｎｃｙ  Ｄｉｖｉｓｏｎ  Ｄｕｐｌｅｘ：周波数分割双方向）方式は、それぞれ５ＭＨｚ幅の別個の周波数帯域を使用してアップリンク・チャネルとダウンリンク・チャネルを形成している。この方式は、ＴＤＤ（Ｔｉｍｅ  Ｄｉｖｉｓｏｎ  Ｄｕｐｌｅｘ：時分割双方向）方式よりも多くのユーザをサポートできるので、一般的に、大きなアウトドア（屋外）セルに使用されている。ＴＤＤ方式では、アップリンク・チャネルとダウンリンク・チャネルが、異なる時間スロットで同一の周波数帯域を共用している。ＴＤＤ方式は、ＦＤＤ方式ほど多くのユーザをサポートできないので、比較的小さいセルに適している。また、ＴＤＤ方式は、非対称なトラフィックを搬送する場合、ＦＤＤ方式より適している。
【０００４】
ユニバーサル移動電話システム（ＵＭＴＳ）ネットワーク内の受信機、例えば、ＣＤＭＡ移動受信機が行う重要な動作は、セル・サーチ動作である。セル・サーチ動作は、一般的に、受信機の一部分として組み込まれたセル・サーチ・システムによって行われる。セル・サーチ・システムは、受信機の電源投入後に起動されて、当該受信機が存在するセルに関する同期情報を特定する。セル・サーチ動作は、３段階の行程で行われる。即ち、セル・サーチ・システムは、スロット同期（ｐｒｉｍａｒｙ  ｓｙｎｃｈｒｏｎｉｚａｔｉｏｎ：１次同期）と、フレーム同期及びスクランブリング・コード・グループの特定（ｓｅｃｏｎｄａｒｙ  ｓｙｎｃｈｒｏｎｉｚａｔｉｏｎ：２次同期）と、スクランブリング・コードの特定とを行う。
【０００５】
電源投入後、移動端末（ＭＴ：Ｍｏｂｉｌｅ  Ｔｅｒｍｉｎａｌ）は、音声／データ通信を始める前に、いくつかの動作を行う必要がある。先ず、移動端末（ＭＴ）は、受信信号電力をスケール変更してアナログ・デジタル変換器に於けるクリッピングを防止する為に、自動利得制御（ＡＧＣ：Ａｕｔｏｍａｔｉｃ  Ｇａｉｎ  Ｃｏｎｔｒｏｌ）を実施する必要がある。この行程は、先ず、同期チャネル（ＳＣＨ：Ｓｙｎｃｈｒｏｎｉｚａｔｉｏｎ  ＣＨａｎｎｅｌ）で行うことが出来、その後、セルのスクランブリング・コードが取得されると、デスクランブル化（スクランブル解除された）共通パイロット・チャネル（ＣＰＩＣＨ：Ｃｏｍｍｏｎ  ＰＩｌｏｔ  ＣＨａｎｎｅｌ）の使用が可能になる。
【０００６】
次に、移動端末（ＭＴ）は、タイミング同期を取る必要がある。タイミング同期は、同期チャネル（ＳＣＨ）から得られる。ＭＴは、自己が発見できる最も強いＳＣＨ信号をサーチし、その信号によって、ＭＴがどのセルと通信を開始するかが特定される。ＳＣＨが周期的である為、ＭＴは、１次ＳＣＨについて相関を取り、タイミング・エラーを抽出できる。このチャネルに基づいて、ＭＴは、チップ、シンボル、及び、スロットの同期化を行える。
【０００７】
１次同期チャネル（ＳＣＨ）は、システム内の全てのセルについて同一の信号を搬送する。２次同期チャネル（ＳＣＨ）は、セル毎に異なり、フレーム毎に繰り返す２次同期コード（ＳＳＣ：Ｓｅｃｏｎｄａｒｙ  Ｓｙｎｃｈｒｏｎｉｚａｔｉｏｎ  Ｃｏｄｅｓ）のパターンを搬送する。ＭＴは、このシーケンスを受信すると、フレーム同期を得る。
【０００８】
セル・サーチを行う際、セル・サーチ・システムは、受信無線信号の同期チャネル（ＳＣＨ）と共通パイロット・チャネル（ＣＰＩＣＨ）にアクセスする。ＳＣＨは、１次ＳＣＨと２次ＳＣＨとから形成された複合チャネルである。各スロット内に於いて、１次ＳＣＨは１次同期コード（ＰＳＣ：Ｐｒｉｍａｒｙ  Ｓｙｎｃｈｒｏｎｉｚａｔｉｏｎ  Ｃｏｄｅ）を規定している。しかし、１次ＳＣＨは、各々が２５６０チップから成るスロットのうちの最初の２５６チップの期間中のみデータを含有している。周知の如く、「チップ」或いは「チップ・レート」は、ＣＤＭＡ通信システム内の拡散コードのレート（伝送速度）を意味している。
【０００９】
また、パターンによって、現在のセルのスクランブリング・コードがどのスクランブリング・コード・グループに属しているかが特定される。スクランブリング・コード・グループは６４個存在し、そのグループの各々には８個のスクランブリング・コードが含まれている。ＭＴが現在のセルのスクランブリング・コード・グループを特定すると、現在のセルのスクランブリング・コードのサーチは、その特定されたグループ内の８個のコードに絞り込まれる。
【００１０】
キャリア・ベースの受信機についての代表的な取得行程は、次の通りである。
１．１次セル・サーチ
２．２次セル・サーチ
３．スクランブリング・コード特定
４．マルチパス・サーチ
５．フィンガ割当て
６．コード・トラッキング・ループ及び自動周波数制御（ＡＦＣ：ＡｕｔｏｍａｔｉｃＦｒｅｑｕｅｎｃｙ  Ｃｏｎｔｒｏｌ）ループのロック
７．フィンガ出力の最大比率合成（ＭＲＣ：Ｍａｘｉｍａｌ  Ｒａｔｉｏ  Ｃｏｍｂｉｎｉｎｇ）
８．受信機ロックが取得され、上位層へのデータ送信が可能になる
この取得行程は、長く複雑であり、完了するまで数秒程度を要する場合がある。セルラー・ホン（携帯電話）、移動局、或いは、移動装置をオンにした時に、ユーザにとって、この待ち時間は煩わしい。従って、当該取得行程を短縮することが望ましいのは明らかである。
【００１１】
発明の名称が「現在のセルと隣接セルの各パイロット信号の電力強度の比率に基づくＵＳＴＳモードと非ＵＳＴＳモードとの切り換えに関する非同期無線通信システム用移動局ハンドオーバ方法」であるジェイ・チョウー（Ｊ．Ｃｈｏ）氏その他の欧州特許第１１７９９６２号には、現在のセルと隣接セルとの電力強度の比率に基づいて、アップリンク同期送信方式（ＵＳＴＳ：Ｕｐｌｉｎｋ  Ｓｙｎｃｈｒｏｎｏｕｓ  Ｔｒａｎｓｍｉｓｓｉｏｎ  Ｓｃｈｅｍｅ）と非ＵＳＴＳ方式とを切り替える方法が記載されている。この方法は、無線遠隔通信システムに於ける移動局のハンドオーバに使用され、圧縮モードに基づいてデータ送信レートを増大する。このチョウー氏その他の方法はセル・サーチに関するものではなく、当該方法で使用されるパイロット電力強度比はセル毎に異なる。電力強度比は、相関データの瞬間のスナップショットに基づいて、特定することが出来る。
【発明の開示】
【００１２】
(発明の概要)
本発明は、キャリア・ベースの受信機のセル・サーチ行程を改善するものである。以下、本発明を３Ｇ（第３世代）のＷＣＤＭＡ受信機について説明するが、本発明は、任意のキャリア・ベースのシステムに適用できるものである。
【００１３】
セルラー受信機が例えば２つ以上のセル・タワー（電波塔）の通信範囲内に於いてハンドオフの事象にある時、制御論理ブロックは、１次セル・サーチを制御する。最大ピークが識別され、その他のピークについてサーチが行われる。閾値を越えるピークが１だけの場合、受信機の８段階の取得行程は、受信機をそのピークに同期化することによって、行われる。一方、閾値を越える複数のピークが識別される場合、制御論理ブロックは、１次セル・サーチをＸ回リランして（繰り返して）、各ピークの大きさの変化を常に把握する。次に、制御論理ブロックは、大きさが最も増大しているピーク（セルラー・ホン（携帯電話）、移動局、或いは、移動装置が移動している方向に在るセル・タワーを表す）を識別する。受信機の８段階の取得行程は、受信機を大きさが最も増大しているピークに同期化することによって、行われる。
【００１４】
１次セル・サーチ動作を制御する方法及び装置であり、各相関ピークのプロファイルを生成し、各相関ピークの大きさが変化しているか否かを特定し、各相関ピークの大きさが比較的一定である場合、各相関ピークのうち最大の大きさを有する１つの相関ピークに信号取得行程を同期化し、各相関ピークの大きさが変化している場合、大きさが増大してきている相関ピークに信号取得行程を同期化する方法及び装置を提供する。この方法及び装置は、更に、各相関ピークのうちの最大の相関ピークのインデックスと大きさとを識別し、プロファイルにその他の相関ピークが存在するか否かを特定し、その他の相関ピークが存在しない場合、最初に識別された最大の相関ピークに信号取得行程を同期化し、識別されたその他の相関ピーク全てについてインデックスと大きさとを記憶し、識別されたピーク全てについて相関ピークの大きさの変化を比較する。
【００１５】
本発明の実施形態、特徴、及び、利点は、各添付図と以下の推奨実施例の詳細な説明から明らかである。
【発明を実施するための最良の形態】
【００１６】
以下の説明に於いて、ユニバーサル移動電話システム（ＵＭＴＳ）ベースの無線通信システムは周知であると仮定し、その詳細な説明は行わない。例えば、スペクトラム拡散の送受信、セル（基地局）、ユーザ装置（ＵＥ：Ｕｓｅｒ  Ｅｑｕｉｐｍｅｎｔ）、ダウンリンク・チャネル、アップリンク・チャネル、及び、ＲＡＫＥ受信機は、周知であると仮定し、その詳細な説明は行わない。更に、本発明は、通常のプログラミング技術を用いて実施してもよいが、そのような通常のプログラミング技術の説明も行わない。
【００１７】
本発明が取り組む具体的な課題は、携帯電話が２つ以上のセル・タワー（電波塔）の通信範囲内に在るような通常よくある状況（例えば、ハンドオフ事象）時に於ける取得時間を如何に低減するかである。
【００１８】
従来技術に於ける現在の方法は、前述の８段階の取得行程を行っている。これがハンドオフ事象時に行われる際、携帯電話は、最寄りの基地局からの信号を使用して（この信号が受信機に於いて最も強いピークとして現れる為）、取得行程（例えば、セル・サーチ）を開始する。しかし、若し携帯電話が、８段階の取得行程の完了時までに、当該基地局から遠のく方向に移動している場合、当該ピークが著しく低下し、或いは、消滅してしまい、その結果、ロックに失敗して、８段階の取得行程全体を別のセル・タワーからの信号を使用してやり直す必要が生じるかもしれない。
【００１９】
取得行程は、一度行うのに時間がかかり、それを二度行うと、なおさら時間がかかる。従って、それを一度目に適正に行うことが、ユーザの経験に照らして、望ましい。
【００２０】
図１には、本発明の原理に従うＵＭＴＳ無線通信システム１０の一部が例示されている。セル（即ち、基地局）１５が前述の１次ＳＣＨ（ＰＳＣＨ）サブチャネルと２次ＳＣＨ（ＳＳＣＨ）サブチャネルとを含むダウンリンクの同期チャネル（ＳＣＨ）信号１６をブロードキャストする。前述の如く、同期チャネル（ＳＣＨ）信号１６は、ＵＭＴＳのユーザ装置（ＵＥ）によって、音声／データ通信の前提条件としての同期化の目的で、使用される。例えば、ＵＥは、「セル・サーチ」動作期間中、ＳＣＨ信号を処理する。この例では、ＵＥ、例えば、携帯電話２０は、例えば、オンされた時に、即ち、電源投入された時に、セル・サーチを開始する。セル・サーチ動作の目的には、（ａ）ＵＭＴＳ無線フレームのスロット及びフレームのレベルでのセル送信への同期化と、（ｂ）当該セル（例えば、セル１５）のスクランブリング・コード・グループの特定とが含まれている。前述の如く、本発明の原理に従えば、ＳＣＨのＳＳＣＨ部分の処理時間を適応的に制御して、フレーム同期を特定する。尚、以下に説明する例では、この初期のセル・サーチ、即ち、ＵＥ２０がオンされた時の場合について、本発明の概念を例示するが、本発明の概念は、これに限定されるものではなく、セル・サーチのその他の事例、例えば、ＵＥが「アイドル・モード」である時にも適用できる。
【００２１】
本発明の実施形態は、図４に示された制御論理ブロックで実施される。制御論理は、図５のフローチャートで示された論理を実行する。先ず、最初の１次セル・サーチ・ステップが実行され、相関ピーク・プロファイルが検査され、最も大きなピークのインデックスと大きさとが特定される。この最も大きなピーク（以下「最初の」ピークという）が識別された後、相関ピーク・プロファイルの残りの部分が走査されて、最初のピークからＭ個を越えた個数のサンプル分離れており、且つ、最初のピークのＮ％以上の大きさを有するその他のピークが識別される。ここで、Ｍ及びＮは、シミュレーションにより決定される設計パラメータであるか、或いは、適応パラメータであり、例えば、Ｍ＝４、Ｎ＝８０である。Ｍ個のサンプルの不感帯域を使用する理由は、各ピークが、実際には、シンク関数の形状を有しており、主要ピーク、即ち、最初のピークに非常に近い各サンプルは、主要ピークに基づくものであり、独立したピークを表すものではない為である。Ｎ％の大きさの閾値を使用する理由は、強いピークのみを識別する為であり、これらのピークは、受信機に十分に近い基地局からの信号エネルギであり、且つ、受信機がその基地局にロックできる信号エネルギを表している。
【００２２】
図２には、１つの有効なピーク（ピークＡ）と大きさがＮ％の閾値より小さい第２のピーク（ピークＢ）とが存在するケースが示されている。このケースが生じると、残りの８段階の取得行程は、受信機をピークＡに同期化することによって、行われる。
【００２３】
本発明の別の実施形態は、図３に示された状況が生じる時である。図３に於いて、ピークＡが最初のピークである。しかし、第２のピーク（ピークＢ）もＮ％の閾値より大きいピークとして存在する。更に、図３には、ピークＣも存在するが、その大きさは、Ｎ％の閾値を越えていない。この状況に於いて、本発明の制御論理ブロックは、次のように動作する。ピークＡ及びピークＢのインデックスと大きさとを確認し、１次セル・サーチをＸ回（Ｘは設計パラメータであり、例えば、Ｘ＝１０）繰り返す。大きさに変化が有る時は、それを毎回の１次セル・サーチで確認する。ピークＡ及びピークＢの各大きさが比較的一定である場合、８段階の取得行程の残りは、受信機をピークＡに同期化することによって、行われる。これは、ユーザの携帯電話、或いは、移動局が感知できるほどには移動していない事象に対応している。
【００２４】
一方、ピークＡ及びピークＢの各大きさが変化している場合、これはユーザの携帯電話、或いは、移動局が移動していることを示している。本発明の構成によって、移動局がどのセル・タワーに向かって移動しているか、即ち、ピークＡに対応するセル・タワーとピークＢに対応するセル・タワーのどちらに向かって移動しているかが特定される。例えば、ピークＢの大きさが増大してきており、且つ、ピークＡの大きさが減少してきている場合、これは携帯電話がピークＢに対応するセル・タワーに向かって移動し、且つ、ピークＡに対応するセル・タワーから遠のく方向に移動していることを示している。従って、たとえピークＢの大きさがピークＡのそれよりも小さくても、８段階の取得行程は、受信機をピークＢに同期化することによって、行われるべきである。当該アルゴリズムは、関係のある全てのピーク（即ち、閾値を越えたピーク）を検査して、大きさが最も増大してきているピークに同期化することによって、８段階の取得行程を行う。
【００２５】
若し、Ｎ％の閾値を越える更なるピークが存在すれば、受信機は、大きさが最も大きいピークではなく、最も増大してきているピークに同期化される。例えば、ピークＢとピークＣの両方がＮ％の閾値を越えており、ピークＣの大きさがピークＢのそれよりも小さくても、ピークＣの大きさがピークＢのそれよりも増大してきている場合、受信機は、ピークＣに同期化される。
【００２６】
図４は、キャリア・ベースの受信機についての本発明の取得行程のブロック図である。本発明の制御論理は、１次セル・サーチが行われた後で、且つ、２次セル・サーチが行われる前に、実行される。制御論理は、複数回（繰り返して）実行される。制御論理行程の繰り返し回数は、シミュレーションに基づいて決定される設計パラメータか、或いは、適応パラメータである。
【００２７】
図５は、図４のブロック図の制御論理部分のフローチャートである。ステップ５０１に於いて、１次セル・サーチが行われ、相関ピークのプロファイルが生成される。ステップ５０３に於いて、最大ピークのインデックスと大きさとが識別される。ステップ５０５に於いて、１次セル・サーチで識別された最大ピークからＭ個を越える個数のサンプル分離れており、且つ、大きさが最大ピークのＮ％以上であると確認されるピークが他かに存在するか否かを特定する検査が行われる（Ｍ及びＮは、シミュレーションに基づいて設定される設計パラメータか、或いは、適応パラメータである）。検査の結果、そのようなピークが存在しない場合、ステップ５３５に於いて、取得行程の残り部分（２次セル・サーチ以降）は、最初に識別された最大ピークに同期化することによって、行われる。検査の結果、そのようなピークが存在する場合、ステップ５１０に於いて、上述の条件に当て嵌まる全ての相関ピークのインデックスと大きさとが記憶される。ステップ５１５に於いて、繰り返し回数（ｉ）がＸに等しいか否かを特定する別の検査が行われる（Ｘは、シミュレーションに基づいて設定される設計パラメータか、或いは、適応パラメータである）。繰り返し回数がＸに達していない場合、制御論理はステップ５０５に戻る。繰り返し回数がＸに達している場合、ステップ５２０に於いて、全ての識別されたピークについて、相関ピークの大きさの変化が比較される。ステップ５２５に於いて、相関ピークの大きさが比較的一定であるか（一定であれば、移動局或いは移動装置が移動していないことを意味する）否かを特定する更に別の検査が行われる。若し、相関ピークの大きさが比較的一定である場合、ステップ５４０に於いて、取得行程の残り（２次セル・サーチ以降）は、最大であると識別された最大ピークに同期化することによって、行われる。ステップ５２５の検査結果として、相関ピークの大きさが比較的一定でない場合、ステップ５３０に於いて、大きさの増大量が最大である（これは移動局又は移動装置が対応する基地局に向かって移動していることを意味する）ピークに同期化することによって、全取得行程（２次セル・サーチ以降）が行われる。
【００２８】
制御論理ブロックは、セルラー受信機がハンドオフ事象にある時（例えば、２つ以上のセル・タワー（電波塔）の通信範囲内に在る時）に実行効率を改善して取得行程時間を低減するために、１次セル・サーチを制御する。即ち、先ず最大ピークが識別され、次に、最大ピークからＭ個を越えた個数のサンプル分離れており、且つ、大きさが最大ピークのＮ％以上であるその他のピークについてサーチが行われる。閾値を越えるピークが１つだけの場合、受信機の８段階の取得行程は、受信機をその１つのピークに同期化することによって、行われる。一方、閾値を越えるピークが複数個有る場合、制御論理は、１次セル・サーチをＸ回繰り返して、各ピークの大きさの変化を常に把握する。次に、制御論理は、大きさが最も増大してきているピーク（即ち、携帯電話の移動方向に在るセル・タワーを表すピーク）を識別する。受信機の８段階の取得行程は、受信機を大きさが最も増大してきているピークに同期化することによって、行われる。
【００２９】
本発明は、例えば、携帯端末、アクセスポイント或いはセルラー・ネットワーク内に於いて、様々な形態のハードウェア、ソフトウェア、ファームウェア、特定用途プロセッサ、或いは、これらの組み合わせによって実施できる。本発明は、推奨例として、ハードウェアとソフトウェアの組み合わせとして実施される。更に、ソフトウェアは、推奨例として、プログラム記憶装置上に具現化されるアプリケーション・プログラムとして実施される。このアプリケーション・プログラムは、任意の適切なアーキテクチャを備えたマシンにアップロードして実行されるようにしてもよい。このマシンは、推奨例として、１つ或いは複数の中央処理装置（ＣＰＵ）、ランダム・アクセス・メモリ（ＲＡＭ）及び入出力（Ｉ／Ｏ）インタフェース等のハードウェアを備えたコンピュータ・プラットホームで実施される。このコンピュータ・プラットホームには、オペレーティング・システムとマイクロ命令コードも含まれている。上述の様々な処理及び機能は、マイクロ命令コードの一部か、アプリケーション・プログラムの一部か、或いは、それらの組み合わせであっても良く、オペレーティング・システムを介して実行される。また、増設用データ記憶装置や印刷装置等のその他の様々な周辺装置をコンピュータ・プラットホームに接続してもよい。
【００３０】
また、図面に示されているシステムの各構成要素及び方法の各ステップの一部は、ソフトウェアで実施されることが望ましいため、システムの各構成要素（或いは各処理ステップ）相互間の実際の接続は、本発明がプログラミングされる態様に従って、異なることがある。当業者であれば、ここに開示された各事項から、本発明の上述の及び類似の各実施例又は各構成を実施できる。
【図面の簡単な説明】
【００３１】
【図１】図１は、本発明の原理に従う無線通信システムの一部を例示した図である。
【図２】図２は、１つの有効なピーク（ピークＡ）と大きさがＮ％の閾値より小さい第２のピーク（ピークＢ）とが存在するケースを例示した図である。
【図３】図３は、有効なピークＡと、大きさがＮ％の閾値を越えた第２の有効なピークＢと、大きさがＮ％の閾値を越えていない第３のピークＣの合計３つのピークが存在するケースを例示した図である。
【図４】図４は、キャリア・ベースの受信機についての本発明の取得行程のブロック図である。
【図５】図５は、図４のブロック図の制御論理部分のフローチャートである。
【図１】
2008535373.tif 000003
【図２】
2008535373.tif 000004
【図３】
2008535373.tif 000005
【図４】
2008535373.tif 000006
【図５】
2008535373.tif 000007
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
セル・サーチ動作を制御する方法であって、
各相関ピークのプロファイルを生成することと、
前記各相関ピークの大きさが変化しているか否かを特定することと、
前記各相関ピークの大きさが比較的一定である場合、前記各相関ピークのうち最大の大きさを有する１つの相関ピークに信号取得行程を同期化することと、
前記各相関ピークの大きさが変化している場合、大きさが増大してきている相関ピークに前記信号取得行程を同期化することと、
を含む、前記方法。
【請求項２】
前記各相関ピークのうちの最大の相関ピークのインデックスと大きさとを識別することと、
前記プロファイルに他の相関ピークが存在するか否かを特定することと、
他の相関ピークが存在しない場合、最初に識別された前記最大の相関ピークに前記信号取得行程を同期化することと、
識別された他の相関ピーク全てについてインデックスと大きさとを記憶することと、
識別されたピーク全てについて、相関ピークの大きさの変化を比較することと、
を更に含む、請求項１記載の方法。
【請求項３】
前記他の相関ピークが存在するか否かの特定を所定の回数だけ繰り返すことを更に含む、請求項２記載の方法。
【請求項４】
前記最大の相関ピークから所定数を越える数のサンプル分離れた前記各相関ピークのインデックスと大きさとを記憶することを更に含む、請求項２記載の方法。
【請求項５】
前記最大の相関ピークに対する所定の割合以上の前記各相関ピークのインデックスと大きさとを記憶することを更に含む、請求項２記載の方法。
【請求項６】
セル・サーチ動作を制御する装置であって、
各相関ピークのプロファイルを生成する手段と、
前記各相関ピークの大きさが変化しているか否かを特定する手段と、
前記各相関ピークの大きさが比較的一定である場合、前記各相関ピークのうち最大の大きさを有する１つの相関ピークに信号取得行程を同期化する手段と、
前記各相関ピークの大きさが変化している場合、大きさが増大してきている相関ピークに前記信号取得行程を同期化する手段と、
を含む、前記装置。
【請求項７】
前記各相関ピークのうちの最大の相関ピークのインデックスと大きさとを識別する手段と、
前記プロファイルに他の相関ピークが存在するか否かを特定する手段と、
他の相関ピークが存在しない場合、最初に識別された前記最大の相関ピークに前記信号取得行程を同期化する手段と、
識別された他の相関ピーク全てについて、インデックスと大きさとを記憶する手段と、
識別されたピーク全てについて、相関ピークの大きさの変化を比較する手段と、
を更に含む、請求項６記載の装置。
【請求項８】
前記他の相関ピークが存在するか否かの特定を所定の回数だけ繰り返す手段を更に含む、請求項７記載の装置。
【請求項９】
前記最大の相関ピークから所定数を越える数のサンプル分離れた前記各相関ピークのインデックスと大きさとを記憶する手段を更に含む、請求項７記載の装置。
【請求項１０】
前記最大の相関ピークに対する所定の割合以上の前記各相関ピークのインデックスと大きさとを記憶する手段を更に含む、請求項７記載の装置。
【請求項１１】
前記装置が、受信機である、請求項６記載の装置。
【請求項１２】
前記受信機が、移動端末である、請求項１１記載の装置。
【国際調査報告】
2008535373.tif 000008
2008535373.tif 000009
2008535373.tif 000010